(57)【要約】【課題】浴槽用配管の漏水検査を行ったときに、検査用治具から水抜きをする位置を特定できるようにすること。【解決手段】追焚き用配管１５の各一端が接続されるアダプター１３に装着される漏水検査用治具４０であって、アダプター１３に装着された状態で前記追焚き用配管１５に連通する通路４７を有する治具本体４１と、この治具本体４１にねじ結合されて通路を閉塞する閉塞部材４２とを含む。治具本体４１は軸部４５を含む。通路４７は軸部４５の外周部分に開放する屈曲通路４７Ａを備え、屈曲通路４７Ａの内周面に設けられた雌ねじ４９に閉塞部材４２の雄ねじ５１がねじ結合する。検査終了後に閉塞部材４２を取り外すと、通路内の水は常に一定の位置から浴槽内に流出することとなる。【選択図】          図２
2005017066.tif 000002
【特許請求の範囲】
【請求項１】
浴槽の内外に連通する循環アダプターと、この循環アダプターに接続されて浴槽の湯を浴槽外へ導出する導出管及び浴槽内に湯を導入する導入管を含む追焚き用配管を備えた浴槽用配管の漏水検査用治具において、
前記浴槽の内側から前記循環アダプターに装着されるとともに、当該循環アダプターに装着された状態で前記追焚き用配管に連通する通路を有する治具本体と、当該治具本体に取り付けられて前記通路を閉塞する閉塞部材とを備え、
前記治具本体は浴槽内に突出する軸部を含み、この軸部の外周部分に前記閉塞手段が着脱自在に設けられていることを特徴とする浴槽用配管の漏水検査用治具。
【請求項２】
浴槽の内外に連通する循環アダプターと、この循環アダプターに接続されて浴槽の湯を浴槽外へ導出する導出管及び浴槽内に湯を導入する導入管を含む追焚き用配管を備えた浴槽用配管の漏水検査用治具において、
前記浴槽の内側から前記循環アダプターに抜け止め手段を介して装着されるとともに、当該循環アダプターに装着された状態で前記追焚き用配管に連通する通路を有する治具本体と、当該治具本体にねじ結合されて前記通路を閉塞する閉塞部材とを備え、
前記治具本体は浴槽内に突出する軸部を含み、この軸部の外周部分に前記閉塞手段が着脱自在に設けられていることを特徴とする浴槽用配管の漏水検査用治具。
【請求項３】
前記軸部に、当該軸部の軸線と交わる方向に向けられた突出部が設けられ、この突出部の先端に前記閉塞手段が設けられていることを特徴とする請求項１又は２記載の浴槽用配管の漏水検査用治具。
【請求項４】
前記軸部が略Ｌ字状又は略Ｔ字状であることを特徴とする請求項１，２又は３記載の浴槽用配管の漏水検査用治具。
【発明の詳細な説明】
【０００１】
【発明の属する技術分野】
本発明は、浴槽用配管の漏水検査用治具に係り、更に詳しくは、漏水検査用治具の取り外す際に、水抜き位置を容易に認識して作業者の衣類等を濡らしてしまうことのない浴槽用配管の漏水検査用治具に関する。
【０００２】
【従来の技術】
従来より、湯張りされた湯を再加熱することのできる風呂の配管構造は、浴槽の側壁に設けられて当該浴槽を内外に連通させる筒状の循環アダプターと、この循環アダプターに一端側が接続される一方、他端側が追焚き機能付き給湯機に接続される導出管及び導入管とを備えて構成されている。このような配管は、建物に設置した後に漏水検査を行う必要がある。
【０００３】
前記漏水検査を行うための治具としては、例えば、特許文献１に記載されたものが知られている。
【０００４】
【特許文献１】特開平９−１７８６００号公報
【０００５】
前記特許文献１に記載された漏水検査用治具は、循環アダプターの内側に嵌合して当該循環アダプターの浴槽側開放部を閉塞する構造とされている。具体的には、循環アダプターの内面側に挿入される筒状壁部と、この筒状壁部の一端側を閉塞する底壁部と、当該底壁部の中央部に連なる軸状の突起部とを備えて構成されている。筒状壁部には、その挿入方向先端側に切欠部が形成されており、この切欠部を循環アダプターの内面側に設けられた凸部に係合させることにより、漏水検査に際して循環アダプターから治具が抜け出ることがないようになっている。
【０００６】
【発明が解決しようとする課題】
しかしながら、特許文献１に記載された漏水検査用治具にあっては、漏水検査を行うべく治具を循環アダプターに装着した状態で、配管内に水を供給して検査圧力を付与する構成であるため、治具を循環アダプターから取り外すときに、内部の水が作業者側に飛散してしまう、という不都合がある。しかも、検査用圧力によって凸部が切欠部に強く食い込んでしまい、検査終了後に、治具を循環アダプターから抜き出すことが困難になる、という不都合もある。
【０００７】
【発明の目的】
本発明は、このような不都合に着目して案出されたものであり、その目的は、検査終了後に、治具及び循環アダプター内に満たされた水を軸部回りの特定位置から排出できるようにして作業者の衣類等を濡らしてしまうことのない配管の漏水検査用治具を提供することにある。
【０００８】
また、本発明の他の目的は、検査圧力を簡易な構成によって低下させることを可能にして循環アダプターからの抜き出しを容易に行うことができる浴槽の配管漏水検査用治具を提供することにある。
【０００９】
また、本発明の更に他の目的は、循環アダプターに対する着脱が容易な配管の漏水検査用治具を提供することにある。
【００１０】
【課題を解決するための手段】
前記目的を達成するため、本発明は、浴槽の内外に連通する循環アダプターと、この循環アダプターに接続されて浴槽の湯を浴槽外へ導出する導出管及び浴槽内に湯を導入する導入管を含む追焚き用配管を備えた浴槽用配管の漏水検査用治具において、
前記浴槽の内側から前記循環アダプターに装着されるとともに、当該循環アダプターに装着された状態で前記追焚き用配管に連通する通路を有する治具本体と、当該治具本体に取り付けられて前記通路を閉塞する閉塞部材とを備え、
前記治具本体は浴槽内に突出する軸部を含み、この軸部の外周部分に前記閉塞手段が着脱自在に設けられる。という構成を採っている。
漏水検査を行う場合には、前記治具を循環アダプター内に挿入して装着することができる。この状態で、導出管又は導入管の何れか一方を閉塞しておき、何れか他方から水が供給される。そして、供給された水により浴槽用配管内に所定圧力、例えば、０．１ＭＰａ程度の圧力を付与し、所定時間経過したときの圧力変化の有無に基づいて漏水しているか否かを検査することができる。
検査終了後は、前記閉塞手段を軸部の外周部分から取り外すことで通路を開放し、内部の水を排出して検査圧力を降下させることができる。この水の排出位置は、軸部本体の特定位置に限定されているので、作業者の衣類を濡らしてしまうような不都合は生じない。
【００１１】
また、本発明は、浴槽の内外に連通する循環アダプターと、この循環アダプターに接続されて浴槽の湯を浴槽外へ導出する導出管及び浴槽内に湯を導入する導入管を含む追焚き用配管を備えた浴槽用配管の漏水検査用治具において、
前記浴槽の内側から前記循環アダプターに装着されるとともに、当該循環アダプターに装着された状態で前記追焚き用配管に連通する通路を有する治具本体と、当該治具本体にねじ結合されて前記通路を閉塞する閉塞部材とを備え、
前記治具本体は浴槽内に突出する軸部を含み、この軸部の外周部分に前記閉塞手段が設けられる、という構成を採っている。このような構成では、治具本体が検査圧力によって循環アダプターに強く嵌り込むような状態で装着されていても、当該圧力降下によって治具本体を容易に取り外すことができる。
すなわち、検査終了後は、水に加えられた圧力によって治具本体が循環アダプターから抜き出し難い状態となる。ここで、前記閉塞手段を治具本体に対して緩める方向に回転させて取り外すと、通路内の水が閉塞手段の装着部位から抜け出るようになり、水圧を降下させることとなる。従って、この水圧降下により、抜け止め手段による抜け止めを解除する作業が楽に行えるようになる結果、治具を循環アダプターから抜き出すことができる。
【００１２】
【発明の実施の形態】
本発明において、前記軸部に、当該軸部の軸線と交わる方向に向けられた突出部が設けられ、この突出部の先端に前記閉塞手段が設けられる、という構成を採るとよい。このような構成では、治具本体を循環アダプターから引き抜こうとするときに、指を突出部に引っ掛けることができ、引き抜き力を強く作用せしめることが可能となる。しかも、引き抜きに際して、治具を周方向に回転させることも容易となる。
【００１３】
また、前記軸部は、略Ｌ字状又はＴ字状に設けることが好ましい。これにより、前述した引き抜きを作業を一層容易に行うことができる。
【００１４】
なお、本明細書において、「水」は湯をも含む概念として用いられる。
【００１５】
【実施例】
以下、本発明の実施例を図面を参照しながら説明する。
【００１６】
図１には、本実施例に係る浴槽用配管の漏水検査用治具が適用される浴槽の要部断面図が示されている。この図において、浴槽１０の側壁１１には、当該浴槽１０の内外に連通する筒状をなす循環アダプター１３が設けられ、この循環アダプター１３には、浴槽１０に対して水を供給、排出する追焚き用配管（浴槽用配管）１５が接続されている。循環アダプター１３は、循環アダプター本体１６と、これにねじ結合される締付ジョイント１７とからなり、これらの内側に配置された仕切部材１８により浴槽１０の水を浴槽外へ導出する導出部１３Ａと、浴槽１０に水を導入する導入部１３Ｂとに区分されている。
【００１７】
前記追焚き用配管１５は、導出部１３Ａに接続されて浴槽１０の湯を外部に導出して図示しない給湯機に供給する導出管１５Ａと、前記導入部１３Ｂに接続されて給湯機で加熱された湯を浴槽１０に導入する導入管１５Ｂとからなる。
【００１８】
図２及び図３に示されるように、前記締付ジョイント１７は略筒状をなし、浴槽１０の内側に位置する端部外縁に、側壁１１の内側に係止されるフランジ部２０を備え、浴槽１０の外側に突出する他方の端部外周面にねじ部２１を備えている。また、締付ジョイント１７は、図１に示されるように、フランジ部２０に部分的に設けられたボス２３が仕切部材１８に当接するようになっている。フランジ部２０の外縁部には切欠部２４が設けられており、導入管１５Ｂにより導入される湯は、ボス２３間の隙間２５と切欠部２４を通って浴槽１０に流入自在となっている。
【００１９】
前記循環アダプター本体１６は略二重筒状の有底円筒状をなし、底部２７を追焚き用配管１５が貫通するとともに、開放端部外縁にフランジ部２８を備え、開放端部の内周面にねじ部２９を備えている。循環アダプター１３は、締付ジョイント１７のフランジ部２０を浴槽１０の内側から側壁１１に係止させた状態で、ねじ部２１に循環アダプター本体１６のねじ部２９を締め付けてフランジ部２０，２８により側壁１１を挟持して浴槽１０に取り付けられる。なお、締付ジョイント１７のフランジ部２０と側壁１１との間、及び、循環アダプター本体１６のフランジ部２８と側壁１１との間にはパッキン３０，３１がそれぞれ介装されている。
【００２０】
前記仕切部材１８は、前記循環アダプター本体１６の内側筒部に嵌合する筒状部１８Ａと、この筒状部１８Ａの一端に連なるとともに、浴槽１０内に向けられた屈曲領域を有するフランジ部１８Ｂとからなる。この仕切部材１８の浴槽１０側にはカバー３３が被せられる。カバー３３には窓部３５が設けられており、水がカバー３３前面の窓部３５を通過して導出部１３Ａに流通するようになっている。
【００２１】
浴槽１０に湯張りされた水を再加熱するときには、浴槽１０内の水は窓部３５を通過して導出部１３Ａに流入し、導出管１５Ａにより給湯機に導出され、当該給湯機で加熱された湯は、導入管１５Ｂにより導入部１３Ｂに導入された後、締付ジョイント１７の前記切欠部２４、又はカバー３３側面の窓部３５を通って浴槽１０内に流入する。
【００２２】
前記循環アダプター１３及び追焚き用配管１５の漏水検査を行うときには、カバー３５及び仕切部材１８を取り外し、以下に詳述する漏水検査用治具４０により締付ジョイント１７の中空部を浴槽１０の内側から閉塞する。そして、追焚き用配管１５の給湯機側の末端部に、例えば、導入管１５Ｂに図示しないバルブ等を介して閉塞し、導出管１５Ａに圧力計を備えたバルブを介して水圧加圧手段を接続する。
【００２３】
そして、水圧加圧手段により、例えば、０．１ＭＰａの水圧を付与し、５分間維持し、この間に水圧が低下しなければ、循環アダプター１３及び追焚き用配管１５に漏水がないものと判定する。
【００２４】
前記浴槽用配管の漏水検査用治具４０は、図２及び図３に示されるように、循環アダプター１３を構成する締付ジョイント１７に装着される治具本体４１と、この治具本体４１にねじ結合によって着脱自在に設けられた閉塞部材４２と、これら治具本体４１及び閉塞部材４２の間に配置されるパッキンＰとにより構成されている。
【００２５】
治具本体４１は、締付ジョイント１７内に差し込み可能な外径を備えた中空の筒部４３と、この筒部４３の直径よりも若干大きな直径を有するとともに、当該筒部４３の一端側すなわち図２中左端側に設けられた底部４４と、この底部４４の中央部から浴槽１０の内方に向かって突出する軸部４５とを備えている。筒部４３の外周側には、ゴム等の弾性部材からなるＯリング４６が脱落不能な状態で装着されているともに、前記底部４４と軸部４５の中央部には、当該軸部４５の軸線方向に貫通して追焚き用配管１５に連通する通路４７が形成されている。この通路４７は、底部４４の反対側となる先端近傍位置で、軸部４５の軸線方向と略直交する方向に向けられて当該軸部４５の外周部分に開放する屈曲通路４７Ａを備え、当該屈曲通路４７Ａの内周面に雌ねじ４９が形成されている。なお、筒部４３の開放側端部には、略Ｌ字状の切欠部４３Ａが筒部４３の周方向略１８０度間隔位置にそれぞれ形成されており、これら切欠部４３Ａに、前記締付ジョイント１７の内周面における周方向略１８０度間隔位置に突設された突起１７Ａがそれぞれ係合可能となっている。ここにおいて、切欠部４３Ａと突起１７Ａとにより、循環アダプター１３に対する漏水検査用治具４０の抜け止め手段が構成されている。
【００２６】
前記閉塞部材４２は、操作用の摘み部５０と、この摘み部５０の一端側から突出する突軸部５１とからなり、当該突軸部５１の軸方向に沿う領域の外周面に、前記雌ねじ４９にねじ結合する雄ねじ５２が形成されている。なお、突軸部５１の軸長は、前記雌ねじ４９が形成された領域（ねじ部）の長さよりも短い長さとされている。
【００２７】
前記パッキンＰは薄板リング状をなし、その穴５７の内径は、突軸部５１の外径と略同一に形成され、パッキンＰの板面５８は、前記軸部４５における屈曲通路の開放口回りと摘み部５０の突軸部側端面５０Ａとの間に挟まれるようになっている。
【００２８】
前記漏水検査用治具４０を用いて漏水検査を行う場合には、まず、治具本体４１を循環アダプター１３に装着し、筒部４３の切欠部４３Ａに、締付ジョイント１７の突起１７Ａを係合させて抜け止めした位置に保っておく（図２参照）。同時に、治具本体４１にパッキンＰを介して閉塞部材４２をねじ結合して通路４７を密閉させておく（図２参照）。
【００２９】
漏水検査に際し、導出管１５Ａ又は導入管１５Ｂの何れか一方の給湯機側端部を閉塞するとともに、何れか他方の端部から水を供給して圧力を付与し、所定時間経過時における圧力変化の有無を検査すればよい。
【００３０】
検査終了後、漏水検査用治具４０を循環アダプター１３から取り出すときは、前記閉塞部材４２を治具本体４１に対して緩めて取り外せばよい。これにより、通路４７に充満している水が屈曲通路４７Ａを通って浴槽１０内に流出して配管内の水圧を降下させる。
【００３１】
このようにして水圧が降下した後は、治具本体４１を若干回転させて切欠部４３Ａに対する突起１７Ａの係合を解除し、浴槽１０の内方に引き抜く力を付与して循環アダプター１３から漏水用検査治具４０を抜き出すことが可能となる。
【００３２】
このような実施例によれば、治具本体４１と閉塞部材４２とのねじ結合を解除して当該閉塞部材４２を治具本体４１から取り外すことで通路４７内の水を浴槽１０内に流出させることができ、循環アダプター１３、浴槽用配管１５及び通路４７内に充満している水の水圧を降下させることが可能となる。また、水は、治具本体４１の特定箇所、すなわち、前記屈曲通路４７の開放口から常に流出することとなり作業者の衣類を濡らしてしまうようなおそれを防止することができる。しかも、抜け止め手段を構成する切欠部４３Ａに突起１７Ａが検査時の水圧によって強く食い込んでいても、当該食い込み力を減退若しくは消失させることができ、これにより、治具本体４１を循環アダプター１３から容易に抜き出すことが可能となる。
【００３３】
本発明を実施するための最良の構成、方法などは、以上の記載で開示されているが、本発明は、これに限定されるものではない。
すなわち、本発明は、主に特定の実施例に関して特に図示し、且つ、説明されているが、本発明の技術的思想及び目的の範囲から逸脱することなく、以上に述べた実施例に対し、形状、位置、数量、その他の詳細な構成において、当業者が様々な変形を加えることができるものである。
従って、上記に開示した形状、位置などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００３４】
例えば、図４に示されるように、軸部４５の外周部分に、当該軸部４５の軸線方向と交わる方向に突出部６０を設けて略Ｔ字状とし、この突出部６０の軸線領域を含んで前記屈曲通路４７Ａを形成してもよい。ここで、突出部６０の突出高さは、例えば、人差し指や中指程度の一本の指を軸部４５の軸線方向に沿って引っ掛けることができる程度にすることが好ましい。
【００３５】
また、図５に示されるように、軸部４５に屈曲軸部４５Ａを設けて略Ｌ字状とし、この屈曲軸部４５Ａの軸線領域を含んで屈曲通路４７Ａを形成することでもよい。この際、屈曲軸部４５の長さは、手の平を引っ掛けることができる程度に設けることが好ましく、これにより、屈曲軸部４５Ａを操作用のレバーに類似した態様で利用することができ、治具４０の着脱作業を容易に行うことができる。
【００３６】
更に、前記軸部４５は、丸軸状に限らず、例えば四角柱状等、その他の多角形状であってもよい。
【００３７】
また、前記雌ねじ４９又は雄ねじ５２に、ねじ山を跨る方向に延びる溝を設けておくことも可能であり、これにより、閉塞部材４２を治具本体４１から取り外さない状態でも、通路４７内の水を流出させることもできる。更に、図４及び図５において、雌ねじ４９は治具本体４１側に設けられているが、治具本体４１側を雄ねじを設ける一方、閉塞部材４２を袋ナット状にして当該閉塞部材４２に雌ねじを設けることでもよい。
【００３８】
【発明の効果】
以上説明したように、本発明によれば、閉塞手段を取り外して通路内の水を排出させることができ、この排出を、治具本体の特定の位置に限定することによって、水抜き作業に際して作業者の衣類を濡らしてしまうような不都合を解消することができる。
【００３９】
また、検査終了後において、水に加えられた圧力で治具本体が循環アダプターから抜き出し難い状態となっていても、閉塞手段を治具本体から取り外すことで、通路内の水を抜き出して水圧を降下させることができるので、抜け止め手段による抜け止めが強い食い込みによって行われていても、これを容易に解除して治具を循環アダプターから抜き出すことができる。
【００４０】
更に、軸部の軸線と交わる方向に突出部が設けられた構成では、治具本体を循環アダプターから引き抜こうとするときに、指を突出部に引っ掛けることができ、引き抜き力を強く作用せしめることが可能となる。しかも、引き抜きに際して、治具を周方向に回転させることも容易となる。
【００４１】
また、前記軸部をＬ字状又はＴ字状に設けた構成により、循環アダプターに対する治具の装着作業を容易に行うことができる。
【図面の簡単な説明】
【図１】本発明の漏水検査用治具が適用される浴槽の循環アダプター回りの概略断面図。
【図２】前記循環アダプターに漏水検査用治具の治具本体を装着した状態の概略断面図。
【図３】図２の一部分解視図。
【図４】前記実施例の変形例を示す断面図。
【図５】前記実施例の更に異なる変形例を示す断面図。
【符号の説明】
１０…浴槽、１１…側壁、１３…循環アダプター、１５…追焚き用配管、１５Ａ…導出管、１５Ｂ…導入管、１７Ａ…突起（抜け止め手段）、４０…漏水検査用治具、４１…治具本体、４２…閉塞部材、４３Ａ…切欠部（抜け止め手段）４７…通路、４９…雌ねじ、５２…雄ねじ、６０…突出部、Ｐ…パッキン
【図１】
2005017066.tif 000003
【図２】
2005017066.tif 000004
【図３】
2005017066.tif 000005
【図４】
2005017066.tif 000006
【図５】
2005017066.tif 000007